(57)【要約】【課題】構成設定されている／アクティブ化されている成分搬送波についての最大出力電力をどのように報告するかを提供する。【解決手段】無線通信システムにおいて複数の上りリンク成分搬送波および／または並列のPUCCHおよびPUSCH伝送をもって構成設定されるモバイル・デバイスのための電力報告方法が開示される。本方法は、少なくとも一つの上りリンク成分搬送波についての最大出力電力を構成設定される段階と；前記少なくとも一つの上りリンク成分搬送波についての最大出力電力報告を開始または停止することを、前記モバイル・デバイスまたは前記無線通信システムのネットワークに関連する特性に基づいて決定する段階と；前記少なくとも一つの上りリンク成分搬送波についての前記最大出力電力を、前記最大出力電力報告がトリガーされかつ前記最大出力電力報告が開始されるときに、前記ネットワークに報告する段階とを含む。【選択図】図１
2012105268.tif 000002
【特許請求の範囲】
【請求項１】
無線通信システムにおいて複数の上りリンク成分搬送波および／または並列のPUCCHおよびPUSCH伝送をもって構成設定されるモバイル・デバイスのための電力報告方法であって：
少なくとも一つの上りリンク成分搬送波についての最大出力電力を構成設定される段階と；
前記少なくとも一つの上りリンク成分搬送波についての最大出力電力報告を開始または停止することを、前記モバイル・デバイスまたは前記無線通信システムのネットワークに関連する特性に基づいて決定する段階と；
前記少なくとも一つの上りリンク成分搬送波についての前記最大出力電力を、前記最大出力電力報告がトリガーされかつ前記最大出力電力報告が開始されるときに、前記ネットワークに報告する段階とを含む、
方法。
【請求項２】
請求項１記載の方法であって、前記モバイル・デバイスまたは前記ネットワークに関連する前記特性が、推定される送信電力、下りリンクおよび／または上りリンクのチャネル品質、構成設定されているおよび／またはアクティブ化されている下りリンクおよび／または上りリンク成分搬送波の数、前記少なくとも一つの上りリンク成分搬送波と電力増幅器との台のマッピング情報、無線周波および／またはアンテナ構成、UL資源割り当て、並列PUCCHおよびPUSCH伝送のサポート、以前の電力余地報告、以前の最大出力電力報告、ネットワークおよび／またはモバイル・デバイス機能、上りリンクMIMOの有効化および／または構成設定、タイマー・ベースのソリューション、または明示的な信号伝達を含む、方法。
【請求項３】
請求項１記載の方法であって：
前記少なくとも一つの上りリンク成分搬送波についての前記最大出力電力報告を開始または停止することを決定する際、前記ネットワークに通知するためにメッセージを送信する段階をさらに含む、方法。
【請求項４】
請求項３記載の方法であって、前記メッセージが、前記複数の成分搬送波の全部または一部の上りリンク成分搬送波についての前記最大出力電力報告の開始または停止を指示する、または前記メッセージが前記最大出力電力報告の開始または停止を対応する成分搬送波について指示するビットマップを含む、方法。
【請求項５】
請求項１記載の方法であって、前記最大出力電力報告がトリガーされるのは、電力余地報告（PHR）がトリガーされているかどうか、上りリンク二次成分搬送波がアクティブ化および／または構成設定されているかどうか、前記ネットワークによって構成設定されたタイマーの期間満了、前記最大出力電力報告をトリガーする前記ネットワークから受信される明示的な信号伝達、UL承認割り当て、下りリンクおよび／または上りリンク・チャネル品質の状態、並列PUCCHおよびPUSCH伝送が有効化および／または構成設定されていること、上りリンクMIMOが構成設定および／または有効化されていること、上りリンク送信電力のスケーリング、上りリンク成分搬送波についての推定される送信電力が該上りリンク成分搬送波の最大出力電力を超えるかどうか、あるいは少なくとも一つの上りリンク成分搬送波の推定される送信電力が前記モバイル・デバイスおよび／または前記少なくとも一つの上りリンク成分搬送波のために構成設定された電力増幅器の電力限界を超えるかどうか、に基づく、方法。
【請求項６】
請求項１記載の方法であって、前記少なくとも一つの上りリンク成分搬送波についての前記最大出力電力を、前記最大出力電力報告がトリガーされかつ前記最大出力電力報告が開始されるときに、前記ネットワークに報告する段階が：
前記最大出力電力報告がトリガーされかつ前記最大出力電力報告が開始されるときに、前記少なくとも一つの上りリンク成分搬送波の最大出力電力値を直接報告すること；または
前記最大出力電力報告がトリガーされかつ前記最大出力電力報告が開始されるときに、前記少なくとも一つの上りリンク成分搬送波の最大出力電力値を差分値をもって報告すること；または
前記最大出力電力報告がトリガーされかつ前記最大出力電力報告が開始されるときに、前記少なくとも一つの上りリンク成分搬送波について一つの最大出力電力値を報告すること；または
前記最大出力電力報告がトリガーされかつ前記最大出力電力報告が開始されるときに、ある電力余地報告について同じ諸メッセージにおいて、前記少なくとも一つの上りリンク成分搬送波の最大出力電力値を直接報告すること；
を含む、方法。
【請求項７】
請求項６記載の方法であって、前記最大出力電力報告がトリガーされかつ前記最大出力電力報告が開始されるときに、前記少なくとも一つの上りリンク成分搬送波の最大出力電力値を差分値をもって報告することが：
前記最大出力電力報告がトリガーされかつ前記最大出力電力報告が開始されるときに、前記少なくとも一つの上りリンク成分搬送波の最大出力電力値を、同じ成分搬送波上の以前の最大出力電力値と当該最大出力電力値の間の差分値をもって報告すること；または
前記最大出力電力報告がトリガーされかつ前記最大出力電力報告が開始されるときに、前記少なくとも一つの上りリンク成分搬送波の最大出力電力値を、一次上りリンク成分搬送波の最大出力電力値と当該最大出力電力値の間の差分値をもって報告すること；または
前記最大出力電力報告がトリガーされかつ前記最大出力電力報告が開始されるときに、前記少なくとも一つの上りリンク成分搬送波の最大出力電力値を、前記モバイル・デバイスの最大出力電力もしくは前記モバイル・デバイスの最大許容出力電力の値と当該最大出力電力値との間の差分値をもって報告すること；または
前記最大出力電力報告がトリガーされかつ前記最大出力電力報告が開始されるときに、前記少なくとも一つの上りリンク成分搬送波の最大出力電力値を、前記ネットワークによって構成設定された参照値と当該最大出力電力値の間の差分値をもって報告すること；または
前記最大出力電力報告がトリガーされかつ前記最大出力電力報告が開始されるときに、前記少なくとも一つの上りリンク成分搬送波の最大出力電力値を、前記モバイル・デバイス中に記憶されている所定の値と当該最大出力電力値の間の差分値をもって報告することを含む、
方法。
【請求項８】
請求項６記載の方法であって、前記最大出力電力報告がトリガーされかつ前記最大出力電力報告が開始されるときに、前記少なくとも一つの上りリンク成分搬送波について一つの最大出力電力値を報告することが：
前記最大出力電力報告がトリガーされかつ前記最大出力電力報告が開始されるときに、同じまたは同様の最大出力電力をもつ前記少なくとも一つの上りリンク成分搬送波について一つの最大出力電力値を報告すること；または
前記最大出力電力報告がトリガーされかつ前記最大出力電力報告が開始されるときに、前記少なくとも一つの上りリンク成分搬送波について、前記少なくとも一つの上りリンク成分搬送波の限界の中間である一つの最大出力電力値を報告すること；または
前記最大出力電力報告がトリガーされかつ前記最大出力電力報告が開始されるときに、同じ電力増幅器を共有する前記少なくとも一つの上りリンク成分搬送波について一つの最大出力電力値を報告することを含む、
方法。
【請求項９】
無線通信システムにおけるネットワークのための、電力報告を処理する方法であって：
前記無線通信システムのモバイル・デバイスに対して複数の上りリンク成分搬送波および／または並列のPUCCHおよびPUSCH伝送を構成設定する段階と；
少なくとも一つの上りリンク成分搬送波についての最大出力電力構成設定に関連した情報を提供する段階と；
前記モバイル・デバイスからの最大出力電力報告の受信に応じて少なくとも一つの上りリンク成分搬送波についての電力制御および／または資源管理を実行する段階とを含む、
方法。
【請求項１０】
電力報告のための無線通信システムのモバイル・デバイスであって、複数の上りリンク成分搬送波および／または並列のPUCCHおよびPUSCH伝送を構成設定されており：
少なくとも一つの上りリンク成分搬送波についての最大出力電力を構成設定される手段と；
前記少なくとも一つの上りリンク成分搬送波についての最大出力電力報告を開始または停止することを、前記モバイル・デバイスまたは前記無線通信システムのネットワークに関連する特性に基づいて決定する手段と；
前記少なくとも一つの上りリンク成分搬送波についての最大出力電力を、前記最大出力電力報告がトリガーされかつ前記最大出力電力報告が開始されるときに、前記ネットワークに報告する手段とを有する、
モバイル・デバイス。
【請求項１１】
請求項１０記載のモバイル・デバイスであって、前記モバイル・デバイスまたは前記ネットワークに関連する前記特性が、推定される送信電力、下りリンクおよび／または上りリンクのチャネル品質、構成設定されているおよび／またはアクティブ化されている下りリンクおよび／または上りリンク成分搬送波の数、前記少なくとも一つの上りリンク成分搬送波と電力増幅器との間のマッピング情報、無線周波および／またはアンテナ構成、UL資源割り当て、並列PUCCHおよびPUSCH伝送のサポート、以前の電力余地報告、以前の最大出力電力報告、ネットワークおよび／またはモバイル・デバイス機能、上りリンクMIMOの有効化および／または構成設定、タイマー・ベースのソリューション、または明示的な信号伝達を含む、モバイル・デバイス。
【請求項１２】
請求項１０記載のモバイル・デバイスであって：
前記少なくとも一つの上りリンク成分搬送波についての前記最大出力電力報告を開始または停止することを決定する際、前記ネットワークに通知するためにメッセージを送信する手段をさらに有する、モバイル・デバイス。
【請求項１３】
請求項１２記載のモバイル・デバイスであって、前記メッセージが、前記複数の成分搬送波の全部または一部の上りリンク成分搬送波についての前記最大出力電力報告の開始または停止を指示する、または前記メッセージが前記最大出力電力報告の開始または停止を対応する成分搬送波について指示するビットマップを含む、モバイル・デバイス。
【請求項１４】
請求項１０記載のモバイル・デバイスであって、前記最大出力電力報告がトリガーされるのは、電力余地報告（PHR）がトリガーされているかどうか、上りリンク二次成分搬送波がアクティブ化および／または構成設定されているかどうか、前記ネットワークによって構成設定されたタイマーの期間満了、前記最大出力電力報告をトリガーする前記ネットワークから受信される明示的な信号伝達、UL承認割り当て、下りリンクおよび／または上りリンク・チャネル品質の状態、並列PUCCHおよびPUSCH伝送が有効化および／または構成設定されていること、上りリンクMIMOが構成設定および／または有効化されていること、上りリンク送信電力のスケーリング、上りリンク成分搬送波についての推定される送信電力が該上りリンク成分搬送波の最大出力電力を超えるかどうか、あるいは少なくとも一つの上りリンク成分搬送波の推定される送信電力が前記モバイル・デバイスおよび／または前記少なくとも一つの上りリンク成分搬送波のために構成設定された電力増幅器の電力限界を超えるかどうか、に基づく、モバイル・デバイス。
【請求項１５】
請求項１０記載のモバイル・デバイスであって、前記少なくとも一つの上りリンク成分搬送波についての前記最大出力電力を、前記最大出力電力報告がトリガーされかつ前記最大出力電力報告が開始されるときに、前記ネットワークに報告する手段が：
前記最大出力電力報告がトリガーされかつ前記最大出力電力報告が開始されるときに、前記少なくとも一つの上りリンク成分搬送波の最大出力電力値を直接報告する手段；または
前記最大出力電力報告がトリガーされかつ前記最大出力電力報告が開始されるときに、前記少なくとも一つの上りリンク成分搬送波の最大出力電力値を差分値をもって報告する手段；または
前記最大出力電力報告がトリガーされかつ前記最大出力電力報告が開始されるときに、前記少なくとも一つの上りリンク成分搬送波について一つの最大出力電力値を報告する手段；または
前記最大出力電力報告がトリガーされかつ前記最大出力電力報告が開始されるときに、ある電力余地報告について同じ諸メッセージにおいて、前記少なくとも一つの上りリンク成分搬送波の最大出力電力値を直接報告する手段；
を含む、モバイル・デバイス。
【請求項１６】
請求項１５記載のモバイル・デバイスであって、前記最大出力電力報告がトリガーされかつ前記最大出力電力報告が開始されるときに、前記少なくとも一つの上りリンク成分搬送波の最大出力電力値を差分値をもって報告する前記手段が：
前記最大出力電力報告がトリガーされかつ前記最大出力電力報告が開始されるときに、前記少なくとも一つの上りリンク成分搬送波の最大出力電力値を、同じ成分搬送波上の以前の最大出力電力値と当該最大出力電力値の間の差分値をもって報告する手段；または
前記最大出力電力報告がトリガーされかつ前記最大出力電力報告が開始されるときに、前記少なくとも一つの上りリンク成分搬送波の最大出力電力値を、一次上りリンク成分搬送波の最大出力電力値と当該最大出力電力値の間の差分値をもって報告する手段；または
前記最大出力電力報告がトリガーされかつ前記最大出力電力報告が開始されるときに、前記少なくとも一つの上りリンク成分搬送波の最大出力電力値を、前記モバイル・デバイスの最大出力電力もしくは前記モバイル・デバイスの最大許容出力電力の値と当該最大出力電力値との間の差分値をもって報告する手段；または
前記最大出力電力報告がトリガーされかつ前記最大出力電力報告が開始されるときに、前記少なくとも一つの上りリンク成分搬送波の最大出力電力値を、前記ネットワークによって構成設定された参照値と当該最大出力電力値の間の差分値をもって報告する手段；または
前記最大出力電力報告がトリガーされかつ前記最大出力電力報告が開始されるときに、前記少なくとも一つの上りリンク成分搬送波の最大出力電力値を、前記モバイル・デバイス中に記憶されている所定の値と当該最大出力電力値の間の差分値をもって報告する手段を含む、
モバイル・デバイス。
【請求項１７】
請求項１５記載のモバイル・デバイスであって、前記最大出力電力報告がトリガーされかつ前記最大出力電力報告が開始されるときに、前記少なくとも一つの上りリンク成分搬送波について一つの最大出力電力値を報告することが：
前記最大出力電力報告がトリガーされかつ前記最大出力電力報告が開始されるときに、同じまたは同様の最大出力電力をもつ前記少なくとも一つの上りリンク成分搬送波について一つの最大出力電力値を報告する手段；または
前記最大出力電力報告がトリガーされかつ前記最大出力電力報告が開始されるときに、前記少なくとも一つの上りリンク成分搬送波について、前記少なくとも一つの上りリンク成分搬送波の限界の中間である一つの最大出力電力値を報告する手段；または
前記最大出力電力報告がトリガーされかつ前記最大出力電力報告が開始されるときに、同じ電力増幅器を共有する前記少なくとも一つの上りリンク成分搬送波について一つの最大出力電力値を報告する手段を含む、
モバイル・デバイス。
【請求項１８】
電力報告を処理するための無線通信システムのネットワークであって：
前記無線通信システムのモバイル・デバイスに複数の上りリンク成分搬送波および／または並列のPUCCHおよびPUSCH伝送を構成設定する手段と；
少なくとも一つの上りリンク成分搬送波についての最大出力電力構成設定に関連した情報を提供する手段と；
前記モバイル・デバイスからの最大出力電力報告の受信に応じて少なくとも一つの上りリンク成分搬送波についての電力制御および／または資源管理を実行する手段とを有する、ネットワーク。
【請求項１９】
無線通信システムにおけるネットワークのための、電力報告を処理する方法であって：
前記無線通信システムのモバイル・デバイスに複数の上りリンク成分搬送波および／または並列のPUCCHおよびPUSCH伝送を構成設定する段階と；
少なくとも一つの上りリンク成分搬送波についての最大出力電力構成設定に関連した情報を提供する段階と；
前記モバイル・デバイスにおいて前記少なくとも一つの上りリンク成分搬送波についての最大出力電力報告を開始または停止することを、前記モバイル・デバイスまたは前記ネットワークに関連する特性に基づいて決定する段階とを含む、
方法。
【請求項２０】
請求項１９記載の方法であって、前記モバイル・デバイスまたは前記ネットワークに関連する前記特性が、推定される送信電力、下りリンクおよび／または上りリンクのチャネル品質、構成設定されているおよび／またはアクティブ化されている下りリンクおよび／または上りリンク成分搬送波の数、前記少なくとも一つの上りリンク成分搬送波と電力増幅器との台のマッピング情報、無線周波および／またはアンテナ構成、UL資源割り当て、並列PUCCHおよびPUSCH伝送のサポート、以前の電力余地報告、以前の最大出力電力報告、ネットワークおよび／またはモバイル・デバイス機能、上りリンクMIMOの有効化および／または構成設定、タイマー・ベースのソリューション、または明示的な信号伝達を含む、方法。
【請求項２１】
請求項１９記載の方法であって：
前記少なくとも一つの上りリンク成分搬送波についての前記最大出力電力報告を開始または停止することを決定する際、前記モバイル・デバイスに通知するためにメッセージを送信する段階をさらに含む、方法。
【請求項２２】
請求項２１記載の方法であって、前記メッセージが、前記複数の成分搬送波の全部または一部の上りリンク成分搬送波についての前記最大出力電力報告の開始または停止を指示する、または前記メッセージが前記最大出力電力報告の開始または停止を対応する成分搬送波について指示するビットマップを含む、方法。
【請求項２３】
電力報告を処理するための無線通信システムのネットワークであって：
前記無線通信システムのモバイル・デバイスに複数の上りリンク成分搬送波および／または並列のPUCCHおよびPUSCH伝送を構成設定する手段と；
少なくとも一つの上りリンク成分搬送波についての最大出力電力構成設定に関係した情報を提供する手段と；
前記モバイル・デバイスにおいて前記少なくとも一つの上りリンク成分搬送波についての最大出力電力報告を開始または停止することを、前記モバイル・デバイスまたは前記ネットワークに関連する特性に基づいて決定する手段とを有する、
ネットワーク。
【請求項２４】
請求項２３記載のネットワークであって、前記モバイル・デバイスまたは前記ネットワークに関連する前記特性が、推定される送信電力、下りリンクおよび／または上りリンクのチャネル品質、構成設定されているおよび／またはアクティブ化されている下りリンクおよび／または上りリンク成分搬送波の数、前記少なくとも一つの上りリンク成分搬送波と電力増幅器との間のマッピング情報、無線周波および／またはアンテナ構成、UL資源割り当て、並列PUCCHおよびPUSCH伝送のサポート、以前の電力余地報告、以前の最大出力電力報告、ネットワークおよび／またはモバイル・デバイス機能、上りリンクMIMOの有効化および／または構成設定、タイマー・ベースのソリューション、または明示的な信号伝達を含む、ネットワーク。
【請求項２５】
請求項２３記載のネットワークであって：
前記少なくとも一つの上りリンク成分搬送波についての前記最大出力電力報告を開始または停止することを決定する際、前記モバイル・デバイスに通知するためにメッセージを送信する手段をさらに有する、ネットワーク。
【請求項２６】
請求項２５記載のネットワークであって、前記メッセージが、前記複数の成分搬送波の全部または一部の上りリンク成分搬送波についての前記最大出力電力報告の開始または停止を指示する、または前記メッセージが前記最大出力電力報告の開始または停止を対応する成分搬送波について指示するビットマップを含む、ネットワーク。
【請求項２７】
無線通信における複数の上りリンク成分搬送波および／または並列のPUCCHおよびPUSCH伝送を構成設定されたモバイル・デバイスのための電力報告の方法であって：
少なくとも一つの上りリンク成分搬送波についての最大出力電力を構成設定される段階と；
前記少なくとも一つの上りリンク成分搬送波についての最大出力電力を、最大出力電力報告がトリガーされかつ前記最大出力電力報告が前記ネットワークによって開始されるべきであると決定されるときに、前記ネットワークに報告する段階とを含む、
方法。
【請求項２８】
請求項２７記載の方法であって、前記最大出力電力報告がトリガーされるのは、電力余地報告（PHR）がトリガーされているかどうか、上りリンク二次成分搬送波がアクティブ化および／または構成設定されているかどうか、前記ネットワークによって構成設定されたタイマーの期間満了、前記最大出力電力報告をトリガーする前記ネットワークから受信される明示的な信号伝達、UL承認割り当て、下りリンクおよび／または上りリンク・チャネル品質の状態、並列PUCCHおよびPUSCH伝送が有効化および／または構成設定されていること、上りリンクMIMOが構成設定および／または有効化されていること、上りリンク送信電力のスケーリング、上りリンク成分搬送波についての推定される送信電力が該上りリンク成分搬送波の最大出力電力を超えるかどうか、あるいは少なくとも一つの上りリンク成分搬送波の推定される送信電力が前記モバイル・デバイスおよび／または前記少なくとも一つの上りリンク成分搬送波のために構成設定された電力増幅器の電力限界を超えるかどうか、に基づく、方法。
【請求項２９】
電力報告のための無線通信システムのモバイル・デバイスであって、複数の上りリンク成分搬送波および／または並列のPUCCHおよびPUSCH伝送を構成設定されており：
少なくとも一つの上りリンク成分搬送波についての最大出力電力を構成設定される手段と；
前記少なくとも一つの上りリンク成分搬送波についての最大出力電力を、最大出力電力報告がトリガーされかつ前記最大出力電力報告が前記ネットワークによって開始されるべきであると決定されるときに、前記ネットワークに報告する手段とを有する、
モバイル・デバイス。
【請求項３０】
請求項２９記載のモバイル・デバイスであって、前記最大出力電力報告がトリガーされるのは、電力余地報告（PHR）がトリガーされているかどうか、上りリンク二次成分搬送波がアクティブ化および／または構成設定されているかどうか、前記ネットワークによって構成設定されたタイマーの期間満了、前記最大出力電力報告をトリガーする前記ネットワークから受信される明示的な信号伝達、UL承認割り当て、下りリンクおよび／または上りリンク・チャネル品質の状態、並列PUCCHおよびPUSCH伝送が有効化および／または構成設定されていること、上りリンクMIMOが構成設定および／または有効化されていること、上りリンク送信電力のスケーリング、上りリンク成分搬送波についての推定される送信電力が該上りリンク成分搬送波の最大出力電力を超えるかどうか、あるいは少なくとも一つの上りリンク成分搬送波の推定される送信電力が前記モバイル・デバイスおよび／または前記少なくとも一つの上りリンク成分搬送波のために構成設定された電力増幅器の電力限界を超えるかどうか、に基づく、モバイル・デバイス。
【発明の詳細な説明】
【技術分野】
【０００１】
〈関連出願への相互参照〉
本願は「構成設定された最大出力電力報告の方法およびシステム」と題する、2010年11月8日に出願された米国仮出願第61/411,192号の利益を主張するものであり、その内容はここにその全体において組み込まれる。
【０００２】
〈発明の分野〉
本願は、無線通信システムにおいて利用される方法およびその通信システムに関し、より詳細には無線通信システムにおける電力報告の方法および関連する通信装置に関する。
【背景技術】
【０００３】
ロング・ターム・エボリューション（Long  Term  Evolution）通信システム（LTEシステム）は、3Gモバイル遠隔通信システムの上に確立された先進的な高速無線通信システムであるが、パケット交換式の伝送のみをサポートし、媒体アクセス制御（MAC:  Medium  Access  Control）層および電波リンク制御（RLC:  Radio  Link  Control）層の両方を、それぞれノードB（NB）およびRNC（Radio  Network  Controller［電波ネットワーク・コントローラ］）においてではなく、NBだけにおいてなど、単一の通信サイトにおいて実装する傾向がある。それにより、システム構成が単純になる。
【０００４】
電力余地報告は電力余地報告（PHR:  power  headroom  reporting）手順によって生成され、サービスするeNBに、上りリンク共有チャネル（UL-SCH:  Uplink  Share  Channel）および／またはUL制御チャネル（UL  Control  Channel）のための、最大UE送信（TX）電力と推定されるTX電力との間の差についての情報を提供するために使われる。UEによって送られる電力余地（PH:  power  headroom）情報を用いて、ネットワークは電波資源をUEに割り当て、スケジュール決定を行うことを、より効率的にできる。PHR手順において、UEは、PH情報を担持するために、MACプロトコル・データ・ユニット（PDU:  protocol  data  unit）内のMAC制御要素を使う。
【０００５】
より高いピーク・データ・レートでのデータ送信のような高度な高速無線通信システムに向け、LTEアドバンスト（LTD-Advanced）システムが第三世代パートナーシップ・プロジェクト（3GPP:  3rd  Generation  Partnership  Project）によってLTEシステムの向上として標準化された。LTEアドバンスト・システムは、電力状態間のより高速な切り換えを目標とし、セル・エッジでのパフォーマンスを改善し、帯域幅拡張、協調マルチポイント送受信（COMP:  coordinated  multipoint  transmission/reception）、上りリンクの複数入力複数出力（MIMO:  multiple  input  multiple  output）などといった主題を含む。
【０００６】
帯域幅拡張については、より広い帯域幅への拡張のために、搬送波総合（CA:  carrier  aggregation）がLTEアドバンスト・システムに導入される。これにより、より広い伝送帯域幅（100MHzまで）のサポートおよびスペクトル総合（spectrum  aggregation）のために、二つ以上の成分搬送波が総合される。搬送波総合機能によれば、複数の成分搬送波が全体的なより広い帯域幅に総合され、UEは複数の（下りリンクおよび上りリンクの）成分搬送波に対応する複数のリンクを、同時の受信および送信のために確立することができる。
【０００７】
搬送波総合では、UEはネットワークと一つのRRC接続を有するだけでよい。RRC接続の確立／再確立／ハンドオーバーでは、一つのサービスするセルがNASモビリティー情報を提供し、RRC接続再確立／ハンドオーバーでは、一つのサービスするセルがセキュリティー入力を提供する。このセルは、一次サービス・セル（PCell:  Primary  serving  cell）と称される。下りリンクでは、PCellに対応する搬送波は下りリンク一次成分搬送波（DL  PCC:  Downlink  Primary  Component  Carrier）であり、一方、上りリンクではこれは上りリンク一次成分搬送波（UL  PCC:  Uplink  Primary  Component  Carrier）である。加えて、PCell以外のセルは二次サービス・セル（SCell:  secondary  serving  cell）と名付けられる。
【０００８】
LTE-Aシステム（たとえばRel-10）では、並列な物理上りリンク制御チャネル（PUCCH:  parallel  physical  uplink  control  channel）および物理上りリンク共有チャネル（PUSCH:  physical  uplink  shared  channel）の伝送がサポートされた。結果として、eNBがPUSCHおよびPUCCHをスケジュールするのを支援するよう、eNBは、UE現在送信電力に寄与するPUCCHおよびPUSCH送信電力を考慮に入れるべきである。上りリンク資源について、PCellはPUSCHおよびPUCCHをもつが、SCellはPUSCHのみをもつことを注意しておく。
【発明の概要】
【発明が解決しようとする課題】
【０００９】
LTE-Aシステムにおいて、PH情報は、構成設定されている（configured）またはアクティブ化されている（activated）上りリンク成分搬送波のすべてについて報告される必要があることを注意しておく。これは当技術分野ではよく知られているはずであり、本稿では説明しない。さらに、構成設定されている／アクティブ化されている成分搬送波についての最大出力電力報告がLTE-Aシステムにおいて合意されている。最大出力電力は、構成設定されている／アクティブ化されている成分搬送波上でUEにとっての許容される最大出力電力を表し、構成設定されている／アクティブ化されている成分搬送波について報告される電力余地報告の計算のために使われる。しかしながら、LTE-Aシステムは、構成設定されている／アクティブ化されている成分搬送波についての最大出力電力をどのように報告するかは明確に規定していない。たとえば、最大出力電力報告のためにどのようなフォーマットが使用されるべきか、最大出力電力報告がいつ報告されるべきかには、全く関心が向けられていない。
【００１０】
本願は、上述した問題を解決するために、無線通信システムにおける電力報告の方法および関係する通信装置を開示する。
【課題を解決するための手段】
【００１１】
無線通信システムにおいて複数の上りリンク成分搬送波および／または並列のPUCCHおよびPUSCH伝送をもって構成設定される通信装置のための電力報告方法が開示される。本方法は、少なくとも一つの上りリンク成分搬送波についての最大出力電力を構成設定され、前記少なくとも一つの上りリンク成分搬送波についての最大出力電力報告を開始または停止することを、モバイル・デバイスまたは前記無線通信システムのネットワークに関連する特性に基づいて決定し、前記少なくとも一つの上りリンク成分搬送波についての最大出力電力を、前記最大出力電力報告がトリガーされかつ前記最大出力電力報告が開始されるときに、前記ネットワークに報告することを含む。
【００１２】
無線通信システムにおけるネットワークのための、電力報告を処理する方法が開示される。本方法は、前記無線通信システムのモバイル・デバイスに対して複数の上りリンク成分搬送波および／または並列のPUCCHおよびPUSCH伝送を構成設定し、少なくとも一つの上りリンク成分搬送波についての最大出力電力構成設定に関連した情報を提供し、前記モバイル・デバイスからの最大出力電力報告の受信に応じて少なくとも一つの上りリンク成分搬送波についての電力制御および／または資源管理を実行することを含む。
【００１３】
電力報告のための無線通信システムのモバイル・デバイスが開示される。本モバイル・デバイスは、複数の上りリンク成分搬送波および／または並列のPUCCHおよびPUSCH伝送を構成設定される。本モバイル・デバイスはまた、少なくとも一つの上りリンク成分搬送波についての最大出力電力を構成設定される手段と、前記少なくとも一つの上りリンク成分搬送波についての最大出力電力報告を開始または停止することを、前記モバイル・デバイスまたは前記無線通信システムのネットワークに関連する特性に基づいて決定する手段と、前記少なくとも一つの上りリンク成分搬送波についての最大出力電力を、前記最大出力電力報告がトリガーされかつ前記最大出力電力報告が開始されるときに、前記ネットワークに報告する手段とを有する。
【００１４】
電力報告を処理するための無線通信システムのネットワークが開示される。本ネットワークは、前記無線通信システムのモバイル・デバイスに複数の上りリンク成分搬送波および／または並列のPUCCHおよびPUSCH伝送を構成設定する手段と、少なくとも一つの上りリンク成分搬送波についての最大出力電力構成設定に関連した情報を提供する手段と、前記モバイル・デバイスからの最大出力電力報告の受信に応じて少なくとも一つの上りリンク成分搬送波についての電力制御および／または資源管理を実行する手段とを有する。
【００１５】
無線通信システムにおけるネットワークのための、電力報告を処理する方法が開示される。本方法は、前記無線通信システムのモバイル・デバイスに複数の上りリンク成分搬送波および／または並列のPUCCHおよびPUSCH伝送を構成設定し、少なくとも一つの上りリンク成分搬送波についての最大出力電力構成設定に関連した情報を提供し、前記モバイル・デバイスにおいて前記少なくとも一つの上りリンク成分搬送波についての最大出力電力報告を開始または停止することを、前記モバイル・デバイスまたは前記ネットワークに関連する特性に基づいて決定することを含む。
【００１６】
電力報告を処理するための無線通信システムのネットワークが開示される。本ネットワークは、前記無線通信システムのモバイル・デバイスに複数の上りリンク成分搬送波および／または並列のPUCCHおよびPUSCH伝送を構成設定する手段と、少なくとも一つの上りリンク成分搬送波についての最大出力電力構成設定に関係した情報を提供する手段と、前記モバイル・デバイスにおいて前記少なくとも一つの上りリンク成分搬送波についての最大出力電力報告を開始または停止することを、前記モバイル・デバイスまたは前記ネットワークに関連する特性に基づいて決定する手段とを有する。
【００１７】
複数の上りリンク成分搬送波および／または無線通信における並列のPUCCHおよびPUSCH伝送を構成設定されたモバイル・デバイスのための電力報告の方法が開示される。本方法は、少なくとも一つの上りリンク成分搬送波についての最大出力電力を構成設定され、前記少なくとも一つの上りリンク成分搬送波についての最大出力電力を、最大出力電力報告がトリガーされかつ前記最大出力電力報告が前記ネットワークによって開始されるべく決定されるときに、前記ネットワークに報告することを含む。
【００１８】
電力報告のための無線通信システムのモバイル・デバイスが開示される。本モバイル・デバイスは、複数の上りリンク成分搬送波および／または並列のPUCCHおよびPUSCH伝送を構成設定されており、少なくとも一つの上りリンク成分搬送波についての最大出力電力を構成設定される手段、前記少なくとも一つの上りリンク成分搬送波についての最大出力電力を、最大出力電力報告がトリガーされかつ前記最大出力電力報告が前記ネットワークによって開始されるべく決定されるときに、前記ネットワークに報告する手段とを有する。
【００１９】
本発明のこれらおよびその他の目的は、さまざまな図面において例解される好ましい実施形態の以下の詳細な説明を読めば、当業者には明白となるであろう。
【図面の簡単な説明】
【００２０】
【図１】例示的な無線通信システムの概略図である。
【図２】図１の無線通信システムにおけるあるeNBのもとのユーザー装置および複数セルの概略図である。
【図３】例示的な通信装置の概略図である。
【図４】例示的な通信システムのための通信プロトコル層の概略図である。
【図５】例示的なプロセスのフローチャートである。
【図６】最大出力電力報告において使用される単一のフォーマットの概略図である。
【図７】最大出力電力報告において使用される複数フォーマットの概略図である。
【図８】第一の実施形態に基づく、最大出力電力報告フォーマットの概略図である。
【図９】第二の実施形態に基づく、最大出力電力報告フォーマットの概略図である。
【図１０】第三の実施形態に基づく、最大出力電力報告フォーマットの概略図である。
【図１１】第四の実施形態に基づく、最大出力電力報告フォーマットの概略図である。
【図１２】例示的なプロセスのフローチャートである。
【発明を実施するための形態】
【００２１】
図１を参照されたい。図１は無線通信システム１０の概略図である。無線通信システム１０はロング・ターム・エボリューション・アドバンスト（LTE-A）システムまたは他の移動体通信システムであり、簡単にいうと、ネットワークおよび複数のユーザー装置（UE:  user  equipment）から構成される。図１において、ネットワークおよびUEは単に無線通信システム１０の構造を例解するために利用されている。実際上、ネットワークは、複数の進化型基地局（eNB:  evolved  base  station）を有する進化型ユニバーサル地上電波アクセス・ネットワーク（E-UTRAN:  evolved  universal  terrestrial  radio  access  network）であってもよい。UEは携帯電話、コンピュータ・システムなどの装置であってもよい。さらに、ネットワークおよびUEは、伝送方向に応じて送信機または受信機と見ることができる。たとえば、上りリンク（UL:  uplink）については、UEが送信機でありネットワークが受信機である。下りリンク（DL:  downlink）については、ネットワークが送信機でありUEが受信機である。
【００２２】
図２を参照されたい。図２は、無線通信システム１０におけるUEおよび複数セルの概略図である。UEは一つの一次サービス・セル（PCell）および図２に示されるScell1〜ScellNのようないくつかの二次サービス・セル（SCell）と通信する。PCellに対応する下りリンクでは、成分搬送波は下りリンク一次成分搬送波（DL  PCC）であり、一方、上りリンクでは上りリンク一次成分搬送波（UL  PCC）である。UE機能に依存して、SCellはPCellと一緒に、サービスするセルの集合を形成するよう構成されることができる。下りリンクでは、SCellに対応する成分搬送波は下りリンク二次成分搬送波（DL  SCC:  Downlink  Secondary  Component  Carrier）であり、一方、上りリンクでは、上りリンク二次成分搬送波（UL  SCC:  Uplink  Secondary  Component  Carrier）である。PCellは常にDL  PCCおよびUL  PCCをもって構成設定されるが、SCellはDL  SCCだけで構成されることができることを注意しておく。
【００２３】
図３は、例示的な通信装置２０の概略図である。通信装置２０は、図１に示されるUEであってもよいが、これに限定されない。通信装置２０は、マイクロプロセッサまたは特定用途向け集積回路（ASIC:  Application  Specific  Integrated  Circuit）といった処理手段２００、記憶ユニット２１０および通信インターフェース・ユニット２２０を含んでいてもよい。記憶ユニット２１０は、処理手段２００によるアクセスのためにプログラム・コード２１４を記憶することができるいかなるデータ記憶装置であってもよい。記憶ユニット２１０の例は、これに限られないが、加入者識別モジュール（SIM:  subscriber  identity  module）、読み出し専用メモリ（ROM:  read-only  memory）、フラッシュメモリ、ランダム・アクセス・メモリ（RAM:  random-access  memory）、CD-ROM、磁気テープ、ハードディスクおよび光学式データ記憶デバイスを含む。通信インターフェース・ユニット２２０は好ましくは電波受信機であり、処理手段２００の処理結果に応じてネットワークと無線信号を交換できる。
【００２４】
図４を参照されたい。図４は、LTE-Aシステムについての通信プロトコル層の概略図である。これらのプロトコル層のうちいくつかの層の振る舞いは、プログラム・コード２１４において定義されていてもよく、処理手段２００によって実行されてもよい。プロトコル層は、上から順に、電波資源制御（RRC）層３００、パケット・データ収束プロトコル（PDCP:  packet  data  convergence  protocol）層３１０、電波リンク制御（RLC）層３２０、媒体アクセス制御（MAC）層３３０および物理（PHY:  physical）層３４０である。MAC層３３０は、電力余地報告（PHR）がトリガーされるときに電力余地情報を含むMAC  PDU（Protocol  Data  Unit［プロトコル・データ・ユニット］）を生成することを受け持つ。
【００２５】
UE送信アーキテクチャーについては、UEは、RF信号送信のための一つまたは複数の無線周波数（RF:  radio  frequency）モジュール、RFチェーンおよび／または電力増幅器（PA:  power  amplifier）を備えていてもよい。各RFモジュールまたはPAは、一つまたは二つ以上の上りリンク成分搬送波をサポートしてもよい。したがって、RFモジュールおよび／またはPAの電力制限がLTE-Aシステムにおいて考慮に入れられるべきである。そうでなければ、各成分搬送波のための電力資源を割り当てることが難しくなる。いくつかの実施形態では、電力制限はUEの製造業者またはアンテナ製作者によって与えられてもよく、製造業者または製作者が変われば変わってもよい。他の実施形態では、最小限の必要とされる電力制限が技術仕様において定義されてもよく、UEは少なくとも最低限の要求を満たすよう製造されるべきである。あるいは、PAの電力制限はUE最大出力電力と同じであってもよい（たとえば23dBmまたは25dBm）。さらに、電力制限は、ネットワーク（たとえばeNB）から送信される専用の信号伝達またはブロードキャスト信号伝達によって調整されてもよい。
【００２６】
図５を参照されたい。図５は、例示的なプロセス５０のフローチャートを示している。プロセス５０は、複数の上りリンク成分搬送波および／または並列のPUCCHおよびPUSCH伝送を構成設定されたUEにおいて、最大出力電力報告のために利用される。プロセス５０はプログラム・コード２１４にまとめることができ、以下のステップを含む：
ステップ５００：開始
ステップ５１０：少なくとも一つの上りリンク成分搬送波について最大出力電力を構成設定される
ステップ５２０：前記少なくとも一つの上りリンク成分搬送波について、最大出力電力報告を開始または停止することを、UEまたはネットワークに関連する特性に応じて決定する
ステップ５３０：前記少なくとも一つの上りリンク成分搬送波について、最大出力電力を、前記最大出力電力報告がトリガーされ、前記最大出力電力報告が開始されるときに、ネットワークに報告する
ステップ５４０：終了。
【００２７】
プロセス５０によれば、UEはまず、最大出力電力報告を開始または停止するかどうかを決定し、最大出力電力報告がトリガーされ、開始されているときに、最大出力電力情報を報告する。それ以外の場合には、UEは上りリンク成分搬送波についての最大出力電力を自動的には報告しない。このプロセスに基づき、UEは、上りリンク成分搬送波についての最大出力電力報告をいかにして実行するかを知ることになる。
【００２８】
より具体的には、UEは、上りリンク成分搬送波（たとえば、一つまたは全部のアクティブ化された上りリンク成分搬送波）についての最大出力電力報告を開始または停止することの決定を、推定される送信電力、下りリンクおよび／または上りリンクのチャネル品質、構成設定されているおよび／またはアクティブ化されている下りリンクおよび／または上りリンク成分搬送波の数、上りリンク成分搬送波と対応するPAとの間のマッピング情報、RFおよび／またはアンテナ構成、UL資源割り当て、並列PUCCHおよびPUSCH伝送のサポート、以前の電力余地報告、以前の最大出力電力報告、ネットワーク（たとえばeNB）および／またはUE機能、上りリンクMIMOの有効化および／または構成設定、タイマー・ベースのソリューションまたは明示的な信号伝達に基づいて行ってもよい。
【００２９】
詳細には、推定される送信電力については、最大出力電力報告が開始されるのは、対応する上りリンク成分搬送波の推定される送信電力（の和）が最大出力電力値、UEおよび／またはPAの電力限界を超えようとしているまたは超える可能性があるときであってもよい。下りリンクおよび／または上りリンク・チャネル品質（たとえば、CQI、CMI、RI、RSRP、RSRQ、サウンディング・リファレンス信号伝達（SRS:  Sounding  Reference  signalling））については、最大出力電力報告が開始されるのは、下りリンクおよび／または上りリンク・チャネル品質が閾値より（悪いまたは）最悪であるときであってもよい。閾値は、前もってネットワークによって提供されていてもよい。構成設定されているおよび／またはアクティブ化されている下りリンクおよび／または上りリンクSCellの数については、最大出力電力報告が開始されるのは、そのUEに対して構成設定されているまたはアクティブ化されている二つ以上の上りリンクSCellがある場合であってもよい。上りリンク成分搬送波（単数または複数）とPAの間のマッピング情報については、最大出力電力報告が開始されるのは、あるPAにマッピングされる構成設定されたおよび／またはアクティブ化された上りリンク成分搬送波が二つ以上ある場合であってもよい。このPAにマッピングされるすべての上りリンク成分搬送波について、上りリンク成分搬送波の一つの最大出力電力報告が開始されてもよいことを注意しておく。この場合、UEは、UE機能情報（たとえば、RF  Txアーキテクチャー、PAの数など）をネットワークに提供してもよい。さらに、上りリンク成分搬送波とPAとの間のマッピング情報が提供されてもよい（たとえば、RRCConnectionReconfigurationおよび／またはRRCConnectionReconfigurationCompleteメッセージにおいて）。UL資源割り当てについては、ある成分搬送波についての最大出力電力報告が開始されるのは、当該TTIについてその成分搬送波のために割り当てられたUL資源（たとえばPUCCHまたはPUSCH資源）がある場合であってもよい。並列PUCCHおよびPUSCH伝送のサポートについては、最大出力電力報告が開始されるのは、並列PUCCHおよびPUSCH伝送が有効化または構成設定されている場合であってもよい。以前の電力余地報告については、最大出力電力報告が開始されるのは、負の電力余地値が報告されている場合であってもよい。あるいは、最大出力電力報告が開始されるのは、その電力余地報告が、対応する上りリンク成分搬送波の推定される送信電力（の和）が最大出力電力、UEおよび／またはPA限界を超える可能性があることをネットワークに通知する指標を含む場合であってもよい。以前の最大出力電力報告については、最大出力電力報告は、該以前の最大出力電力報告および電力余地報告に基づいて、開始／停止されてもよい。上りリンクMIMOの有効化および／または構成設定については、最大出力電力報告は、上りリンクMIMOが有効化および／または構成設定されているかどうかに基づいて、および／またはより高い変調および符号化方式（たとえば16QAM、64QAMなど）が適用されるかどうかに基づいて、開始／停止されてもよい。タイマー・ベースのソリューションについては、ネットワークがUEにタイマーを構成設定してもよい。最大出力電力報告が開始されるときにタイマーが開始され、タイマーの��限がくると最大出力電力報告が停止される。明示的な信号伝達については、最大出力電力報告は、最大出力電力報告の必要性を示す明示的な信号伝達がネットワークから受信される場合に開始されうる。
【００３０】
ある実施形態では、UEが最大出力電力報告を開始または停止することを決定したのち、UEは、ネットワークに通知するためにメッセージを送ってもよいことを注意しておく。もう一つの実施形態では、ネットワークが最大出力電力報告を開始または停止することを決定したのち、ネットワークは、UEに通知するためにメッセージを送ってもよい。この通知メッセージは、PHYメッセージ、MACメッセージまたはRRCメッセージであってもよい。ある実施形態では、該メッセージは、UE内のすべてのアクティブ化されている上りリンク成分搬送波について最大出力電力報告の開始または停止を通知するために使われてもよい。もう一つの実施形態では、該メッセージは、いくつかのアクティブ化されている上りリンク成分搬送波について最大出力電力報告の開始または停止を通知するために使われてもよい。さらに、メッセージはビットマップを含んでいてもよい。ビットマップ中のビットは、対応する上りリンク成分搬送波の最大出力電力が報告されるまたは報告されるべきであることを示すために、「1」に設定される。ビットマップ中の別のビットは、対応する上りリンク成分搬送波の最大出力電力が報告されないまたは停止されるべきであることを示すために、「0」に設定される。
【００３１】
さらに、最大出力電力報告がトリガーされるのは、電力余地報告がトリガーされるとき、SCellに対応する上りリンク成分搬送波がアクティブ化されるとき、ネットワークによって構成設定されたタイマーの期間が満了するとき（ひとたび最大出力電力が報告されるとタイマーは改めて開始される）、最大出力電力報告をトリガーするネットワークからの明示的な信号伝達を受信したとき、成分搬送波についてのUL承認割り当てを受信するとき、下りリンクおよび／または上りリンク・チャネル品質が閾値より最悪になるとき、並列PUCCHおよびPUSCH伝送が有効化および／または構成設定されているとき、上りリンクMIMOが構成設定および／または有効化されているとき、上りリンク送信電力がスケーリングするとき、上りリンク成分搬送波についての推定される送信電力が対応する最大出力電力を超えるとき、あるいは対応する上りリンク成分搬送波の推定される送信電力（の和）がUEおよび／またはPA限界を超えるときであってもよい。
【００３２】
最大出力電力報告フォーマットについては、いくつかの方法が提案される。一つは、最大出力電力値を直接報告することである。もう一つは、報告のオーバーヘッドを避けるために、簡略化された最大出力電力報告を報告することである。簡略化された報告方法については、UEは、最大出力電力を差分値（すなわちデルタ値）と一緒に報告してもよいし、同じまたは同様の最大出力電力値をもつ二つ以上の成分搬送波について一つの最大出力電力値のみを報告してもよいし、あるいは同じメッセージ中で最大出力電力値および電力余地報告を報告してもよい。
【００３３】
最大出力電力を差分値と一緒に報告することについては、UEは各最大出力電力報告について同じフォーマットを使ってもよいし、異なるフォーマットを使ってもよい。UEが長いフォーマットおよび短いフォーマットのような異なる複数のフォーマットを使う場合、長いフォーマットは最大出力電力値報告のために使用されてもよく、短いフォーマットは差分値のために使用されてもよい。この状況において、長いフォーマットまたは短いフォーマットが採用されていることを示すために、MACサブヘッダにおける論理チャネル識別情報（LCID:  logic  channel  identity）が使用されてもよい。
【００３４】
詳細な説明のために図６〜図１１を参照されたい。図６を参照されたい。図６は、最大出力電力報告において使用される単一フォーマットの概略図である。図６では、一つのフォーマットしか使われない。差分値（図６におけるデルタ値のような）は同じ上りリンク成分搬送波についての以前の最大出力電力値に基づいていてもよい。第一の最大出力電力報告が、最大出力電力値が23dBmであることを示すとする。これは、ネットワークによって構成設定される値またはあらかじめ定義された値であってもよい。第一の上りリンク成分搬送波（component  carrier［コンポーネント・キャリア］）CC#1についての現在の最大出力電力値PCMAX,CC#1は21dBmであり、第二の上りリンク成分搬送波CC#2についての最大出力電力値PCMAX,CC#2は22dBmである。この状況において、UEは、第一の上りリンク成分搬送波CC#1についてのデルタ値は「−2」であり、第二の上りリンク成分搬送波CC#2についてのデルタ値は「−1」であると報告する。次の報告では、UEは直前の最大出力電力値PCMAX,CC#1＝21およびPCMAX,CC#2＝22に基づいて最大出力電力を報告する。したがって、現在の最大出力電力値PCMAX,CC#1＝22およびPCMAX,CC#2＝20について、UEは第一の上りリンク成分搬送波CC#1についてのデルタ値は「＋1」であり、第二の上りリンク成分搬送波CC#2についてのデルタ値は「−2」であると報告する。
【００３５】
図７を参照されたい。図７は、最大出力電力報告において使用される複数フォーマットの概略図である。図７では、二つ以上のフォーマット（たとえば長いフォーマットおよび短いフォーマット）が使用される。図７に示されるように、UEは最大出力電力値PCMAX,CC#1＝21および最大出力電力値PCMAX,CC#2＝22を長いフォーマットを用いて直接報告する。次の報告では、UEは直前の最大出力電力値PCMAX,CC#1＝21およびPCMAX,CC#2＝22に基づいて最大出力電力を報告する。したがって、現在の最大出力電力値PCMAX,CC#1＝19およびPCMAX,CC#2＝21について、UEは第一の上りリンク成分搬送波CC#1についてのデルタ値は「−2」であり、第二の上りリンク成分搬送波CC#2についてのデルタ値は「−1」であることを、短いフォーマットを用いて報告する。
【００３６】
図８を参照されたい。図８は、第一の実施形態に基づく、最大出力電力報告フォーマットの概略図である。図８では、デルタ値は、図２におけるPCellまたはUL  PCCの最大出力電力値に基づいていてもよい。上りリンク成分搬送波CC#1はUL  PCCであるとする。この状況では、UEは最大出力電力値PCMAX,CC#1＝21を（たとえば長いフォーマットを用いて）ネットワークに直接報告し、第二の上りリンク成分搬送波CC#2についてのデルタ値が「＋1」であることを（たとえば短いフォーマットを用いて）ネットワークに報告する。
【００３７】
図９を参照されたい。図９は、第二の実施形態に基づく、最大出力電力報告フォーマットの概略図である。デルタ値は、UEの最大出力電力Ppowerclassおよびより上の層によって信号伝達される最大許容UE出力電力PEMAXに基づいていてもよい。たとえば、所定の値PCMAX_Hが公式MIN{PEMAX,PPowerClass}によって決定される。UE最大出力電力Ppowerclass＝23であり、ネットワークがUEをPEMAX＝21をもって構成設定するとする。上記公式によれば、所定の値PCMAX_H＝21となる。こうして、現在の最大出力電力値PCMAX,CC#1＝21およびPCMAX,CC#2＝20について、UEは第一の上りリンク成分搬送波CC#1についてのデルタ値は「0」であり、第二の上りリンク成分搬送波CC#2についてのデルタ値は「−1」であることを報告する。次の報告では、ネットワークがPEMAXを構成設定し直す場合、UEは新たなPCMAX_Hを計算し、次いでその新たなPCMAX_Hに基づくデルタ値を報告する。上述したパラメータの詳細な記述または定義については、3GPP  TS36.101仕様が参照できる。
【００３８】
図１０を参照されたい。図１０は、第三の実施形態に基づく、最大出力電力報告フォーマットの概略図である。デルタ値は、ネットワークの事前構成設定に基づく。たとえば、ネットワークはUEに対してある参照値を割り当てる。その参照値が20であるとしよう。現在の最大出力電力値PCMAX,CC#1＝21およびPCMAX,CC#2＝22について、UEは第一の上りリンク成分搬送波CC#1についてのデルタ値は「＋1」であり、第二の上りリンク成分搬送波CC#2についてのデルタ値は「＋2」であることを報告する。ネットワークがそのUEに対して新たな参照値（たとえば参照値＝21）を構成設定し直す場合、UEはデルタ値を報告するためにこの新たな参照値を使うことになる。
【００３９】
図１１を参照されたい。図１１は、第四の実施形態に基づく、最大出力電力報告フォーマットの概略図である。デルタ値は、あらかじめ定義された値に基づく。この値は、LTE-Aシステムについての仕様において定義されてもよいし、あるいはUEに記憶されていてもよい。あらかじめ定義された値が23であるとしよう。第一の上りリンク成分搬送波CC#1についての現在の最大出力電力値PCMAX,CC#1は21dBmであり、第二の上りリンク成分搬送波CC#2についての最大出力電力値PCMAX,CC#2は22dBmである。この状況において、UEは、第一の上りリンク成分搬送波CC#1についてのデルタ値は「−2」であり、第二の上りリンク成分搬送波CC#2についてのデルタ値は「−1」であることを報告する。
【００４０】
他方、上述したように、UEは、二つ以上の成分搬送波について一つの最大出力電力値を報告してもよい。ある実施形態では、これらの上りリンク成分搬送波は同じ（または類似した）最大出力電力値を有していてもよい。たとえば、これらの上りリンク成分搬送波は同じPAをマッピングされてもよい。いくつかの実施形態では、UEは、最大出力電力値がその制限の中間にあるこれらの上りリンク成分搬送波について同じ最大出力電力値を選んでもよい。いくつかの実施形態では、UEは同じPAを共有する上りリンク成分搬送波について同じ最大出力電力値を選んでもよい。したがって、UEは、同じPAを共有する上りリンク成分搬送波について一つの最大出力電力値を報告する。UEは、UE機能ネゴシエーション・メッセージによって、またはRRCメッセージ／MAC制御要素によって、ネットワークに、上りリンク成分搬送波とPAのマッピングを通知してもよいことを注意しておく。さらに、UEは、RRCメッセージ／MAC制御要素によって、ネットワークに、どの上りリンク成分搬送波が同じ最大出力電力値を共有するかを通知してもよい。
【００４１】
報告メッセージ中の指標〔インジケータ〕は、どの成分搬送波（またはセル）がこの最大出力電力値またはこのデルタ値を参照するかを示しうる。さらに、この指標はビットマップであってもよい。たとえば、ビットマップは、どの成分搬送波にこの最大出力電力値が適用されるかを示すために使われる。詳しくいうと、ビットマップ中のビットは、対応するセルがこの最大出力電力値を適用しうることを示すために「1」に設定される。ビットマップ中のビットは、対応するセルがこの最大出力電力値を適用しないことがありうることを示すために「0」に設定される。もう一つの例を挙げると、ビットマップは、どの成分搬送波にこのデルタ値が適用されるかを示すために使われる。
【００４２】
さらに、UEはあるメッセージ（たとえばMAC  CE）において電力余地報告を送ってもよいし、および／または別のメッセージ（たとえばMAC  CE）において最大出力電力報告を送ってもよい。これら二つのMAC  CEは同時（たとえばサブフレーム）において送信されてもよい。あるいは、これら二つのMAC  CEは同じ上りリンク成分搬送波上でおよび／または異なる上りリンク成分搬送波上で送信されてもよい。さらに、二つ以上のLCIDが最大出力電力報告および電力余地報告のために使われてもよい。たとえば、一つのLCIDが電力余地報告のために使われ、別のLCIDが最大出力電力報告のために使われる。
【００４３】
図１２を参照されたい。図１２は例示的プロセス１２０のフローチャートを示している。プロセス１２０は、電力報告を扱うためにネットワーク（たとえばeNB）において利用される。プロセス１２０は、プログラム・コード２１４にまとめることができ、以下のステップを含む。
ステップ１２００：開始
ステップ１２１０：UEに対して複数の上りリンク成分搬送波および／または並列のPUCCHおよびPUSCH伝送を構成設定する。
ステップ１２２０：少なくとも一つの上りリンク成分搬送波について最大出力電力構成設定に関係した情報を提供する。
ステップ１２３０：UEからの最大出力電力報告の受信に応じて、少なくとも一つの上りリンク成分搬送波についての電力制御および／または資源管理を実行する。
ステップ１２４０：終了。
【００４４】
プロセス１２０によれば、ネットワークは、電力余地報告のみならず最大出力電力報告にも基づいて、上りリンク送信電力を制御するおよび／または上りリンク資源（たとえば資源ブロック（RB:  resource  block）割り当て、変調および符号化方式（MCS:  modulation  and  coding  scheme））を管理する。たとえば、ネットワークは対応する上りリンク成分搬送波上でのUEの送信電力を（最大出力電力値−報告された電力余地値）によって推定してもよい。したがって、ネットワークは、対応する最大出力電力値／PA電力制限および／またはUE電力制限を超える上りリンク成分搬送波上の送信電力を割り当てられない。
【００４５】
提案されるステップを含む上記プロセスの上述したステップを実現する手段は、ハードウェア、ハードウェア・デバイスおよび該ハードウェア・デバイス上で読み出し専用ソフトウェアとして存在するコンピュータ命令およびデータの組み合わせとして知られるファームウェア、あるいは電子システムであってもよい。ハードウェアの例は、マイクロ回路、マイクロチップまたはシリコン・チップとして知られるアナログ、デジタルおよび混合回路を含むことができる。電子システムの例は、システム・オン・チップ（SOC:  system  on  chip）、システム・イン・パッケージ（Sip:  system  in  package）、コンピュータ・オン・モジュール（COM:  computer  on  module）および通信装置２０を含むことができる。
【００４６】
まとめると、本発明は、ネットワークが電力制御および資源管理をうまく行えるよう、複数上りリンク成分搬送波システムにおける電力報告（たとえば上りリンク成分搬送波についての最大出力電力）のための方法および装置を提供する。
【００４７】
当業者は、本発明の教示を維持しつつ上記装置および方法に対する無数の修正および変更がなしうることを容易に見て取ることであろう。よって、上記の開示は、付属の請求項の境界によってのみ限定されると解釈されるべきである。
【符号の説明】
【００４８】
１０  無線通信システム
２０  通信装置
２００  処理手段
２１０  記憶ユニット
２１４  プログラム・コード
２２０  通信インターフェース・ユニット
３００  RRC層
３１０  PDCP層
３２０  RLC層
３３０  MAC層
３４０  物理層
５００  開始
５１０  少なくとも上りリンク成分搬送波について最大出力電力を構成設定される
５２０  前記少なくとも一つの上りリンク成分搬送波について、最大出力電力報告がトリガーされ、最大出力電力報告が開始されるときに、最大出力電力をネットワークに報告
５３０  前記少なくとも一つの上りリンク成分搬送波について、最大出力電力を、最大出力電力報告がトリガーされ、最大出力電力報告が開始されるときに、ネットワークに報告する
５４０  終了
１２００  開始
１２１０  UEに対して複数の上りリンク成分搬送波および／または並列のPUCCHおよびPUSCH伝送を構成設定
１２２０  少なくとも一つの上りリンク成分搬送波について最大出力電力構成設定に関係した情報を提供
１２３０  UEからの最大出力電力報告の受信に応じて、少なくとも一つの上りリンク成分搬送波についての電力制御および／または資源管理を実行
１２４０  終了
【図１】
2012105268.tif 000003
【図２】
2012105268.tif 000004
【図３】
2012105268.tif 000005
【図４】
2012105268.tif 000006
【図５】
2012105268.tif 000007
【図６】
2012105268.tif 000008
【図７】
2012105268.tif 000009
【図８】
2012105268.tif 000010
【図９】
2012105268.tif 000011
【図１０】
2012105268.tif 000012
【図１１】
2012105268.tif 000013
【図１２】
2012105268.tif 000014